(57)【要約】【課題】  ボール部の首部を倒した角度で撮影する際にも高い操作性を得る。【解決手段】  この雲台装置は、ボール部６と、ボール部６を固定可能に支持する本体１と、機器を支持する支持部１０と、基台（１８，２０）とを有する。本体１は、ボール部６の外周面を挟むボール受け面４８を有する本体下部（１Ａ，２，１４，１６）と、ボール受け面３４を有し回動可能に取り付けられた上ボール受け４と、上ボール受け４に形成されたスロット７２と、ボール受け面３４，４８同士の距離を変更するための締結機搆（１４，１６，２２）と、操作つまみ２４と、締結機構によってボール部とともに固定される軸体１８とを有し、軸体１８に基台（１８，２０）が固定されている。【選択図】  図１
2005090730.tif 000002
【特許請求の範囲】
【請求項１】
球状をなすボール部（６）と、前記ボール部（６）を回動可能かつ任意角度で固定可能に支持する本体（１）と、前記ボール部（６）に固定されて機器を支持する支持部（１０）と、基台（１８，２０）とを有し、
前記本体（１）は、前記ボール部（６）の外周面を挟む少なくとも一対のボール受け面の一つ（４８）を有する本体下部（１Ａ，２，１４，１６）と、前記ボール受け面の他の一つ（３４）を有し前記本体下部に対して回動可能に取り付けられた本体上部（４）と、前記本体上部（４）に形成され前記ボール部（６）の傾動を可能とするための凹部（７２）と、前記ボール受け面（３４，４８）同士の距離を変更するための締結機構（１４，１６，２２）と、前記本体下部に設けられ締結機構を操作するための操作つまみ（２４）と、前記締結機構によって前記ボール部を固定すると同時に固定される中心軸（１８）とを有し、前記中心軸（１８）に前記基台（１８，２０）が固定されていることを特徴とする雲台装置。
【発明の詳細な説明】
【技術分野】
【０００１】  本発明は、操作性を高めた雲台装置に関する。
【背景技術】
【０００２】  雲台装置の一種として自由雲台を例に挙げて説明する。自由雲台は、球状のボールと、このボールに首部を介して連結されカメラ等を支持するための上皿と、ボールを回動可能かつ任意角度で固定可能に支持する本体とを有する。前記本体は、ボールの外周面を挟む通常一対のボール受け面と、このボール受け面同士の距離を変更してボールを固定する止めネジを有する。この止めネジを回すことにより、ボール受け面の間隔を狭めてボールを任意の角度で固定し、カメラ等の向きを自由に設定できる。【０００３】  前記本体の上端には、通常、周方向の一部にＵ字状の凹部（スロット）が形成されており、このスロット内にボールの首部を倒し入れることにより、上皿が９０°傾けられるようになっている。これにより、カメラの位置を水平位置から、垂直位置まで傾動できる。【０００４】
【特許文献１】特開平１０−２８８８１１号公報
【発明の開示】
【発明が解決しようとする課題】
【０００５】  しかし、従来の雲台装置では、ボールを固定するための操作つまみと、スロットの相対的な位置が本体に対して固定されていた。このため、ボールの首部をスロットに倒し入れた角度で撮影する際に、操作つまみとカメラが接近し、操作つまみを回すことがむずかしくなったり、操作つまみが操作しづらい位置へ回ってしまったりすることがあった。
【課題を解決するための手段】
【０００６】  本発明に係る雲台装置は、球状をなすボール部と、前記ボール部を回動可能かつ任意角度で固定可能に支持する本体と、前記ボール部に固定されて機器を支持する支持部と、基台とを有し、前記本体は、前記ボールの外周面を挟む少なくとも一対のボール受け面の一つを有する本体下部と、前記ボール受け面の他の一つを有し前記本体下部に対して回動可能に取り付けられた本体上部と、前記本体上部に形成され前記ボール部の傾動を可能とするための凹部と、前記ボール受け面同士の距離を変更するための締結機搆と、前記本体下部に設けられ締結機構を操作するための操作つまみと、前記締結機構によって前記ボール部を固定すると同時に固定される中心軸とを有し、前記中心軸に前記基台が固定されている。
【発明の効果】
【０００７】  本発明に係る雲台装置では、例えば三脚に固定される基台と、操作つまみを備えた本体下部と、支持部の傾動方向を決定する凹部を有する本体上部と、ボール部とがそれぞれ独立して回動できる。したがって、ボール部の首部を凹部に倒し入れた角度で撮影する際にも、操作つまみと支持部を適切に離すことができ、操作つまみの操作が難しくなることがない。
【発明を実施するための最良の形態】
【０００８】  以下、図面を参照しつつ本発明の実施形態を説明する。なお、本発明は以下の実施形態に限定されるものではなく、周知の構成を以下の実施形態に適用してもよいし、以下の実施形態の構成を組み合わせたり、相互に置換してもよい。【０００９】  図１ないし図４は、本発明の第１実施形態に係る雲台装置として、自由雲台を示している。しかし、本発明はこの種の自由雲台への適用に限られるものではなく、ボール部を少なくとも一対のボール受け面で挟んで固定する形式の雲台装置には全て適用可能である。この実施形態の自由雲台は、例えば三脚の上端に取り付けられ、例えばカメラ、望遠鏡、双眼鏡、測定器具等を任意の向きで保持する役目を果たす。ただし、本発明の雲台装置はこのような用途に限定されることはなく、いかなる用途に使用されてもよい。【００１０】  この自由雲台は、球状をなすボール６と、ボール６を回動可能かつ任意角度で固定可能に支持する本体１と、ボール６に固定されてカメラ等の機器を支持する支持部１０と、三脚などに固定される基台（１８，２０）とを有する。【００１１】  本体１は、ボール６の外周面を挟む少なくとも一対のボール受け面の一つ（４８）を有する本体下部（１Ａ，２，１４，１６）と、ボール受け面の他の一つ（３４）を有し本体下部（１Ａ，２，１４，１６）に対して回動可能に取り付けられた上ボール受け４と、上ボール受け４に形成されボール６の傾動を可能とするための凹部７２（図２参照）と、ボール受け面（３４，４８）同士の距離を変更するための締結機構（１４，１６，２２）と、本体下部に設けられ締結機構を操作するための操作つまみ２４と、締結機構によってボール６を固定すると同時に固定される中心軸（１８）とを有する。中心軸（１８）に基台（１８，２０）が固定されている。【００１２】  本体下部（１Ａ，２，１４，１６）は、円筒形の基部１Ａと、基部１Ａの上端に取り付けられた円環状のリングネジ２と、基部１Ａの中にそれぞれ配置された円盤状の下ボール受け１４および円環状のコマ１６と、基部１Ａの側面を貫通して設けられた止めネジ２２とを有する。操作つまみ２４は止めネジ２２に固定されている。【００１３】  基部１Ａの上端には、リングネジ２を介して、円筒状の上ボール受け（本体上部）４が同軸に取り付けられている。リングネジ２の下部の内周面には雌ネジ２６が形成され、基部１Ａの上端部に形成された雄ネジ２８と螺合している。リングネジ２の上端には内方へ突出する係合部３０が全周にわたって形成され、この係合部３０が上ボール受け４の下端部に全周にわたって形成された係合部３２と係合している。【００１４】  上ボール受け４の上端部の内周面は、上方へ向けてすぼまるボール受け面３４とされている。ボール受け面３４の直径および断面の傾斜角度は、ボール受け面３４の幅方向のほぼ中央部がボール６の外周面に接するように設定されている。ボール受け面３４となる部分を、上ボール受け４の本体と別の材質で形成してもよい。上ボール受け４の上端部の一部には、図２に示すように１つのスロット（凹部）７２が形成されている。スロット７２は上ボール受け４に２つ以上形成されていてもよい。【００１５】  上ボール受け４の中には、球状のボー��６が収容されている。ボール６には同軸に延びる円柱状の首部８が一体的に形成され、この首部８の先端に上皿（支持部）１０が垂直に固定されている。スロット７２の幅は首部８の直径よりも若干大きく、スロット７２の下端は半円状にされている。これにより、首部８はスロット７２内に例えば９０°倒れこむことができ、例えばカメラを縦位置で使用できるようになっている。【００１６】  上皿１０は、図３に示すように平面視して矩形状をなす枠体４０と、この枠体４０内に収容された円盤状の回転板４２と、この回転板４２に固定された雄ネジ１２と、枠体４０の天板部の上面に貼られた滑り止めシート４４とを有する。上皿１０の形状は矩形状に限定されず、円形や楕円形であってもよい。滑り止めシート４４はゴム、コルクなど周知の材質でよい。本発明では上皿１０をいかなる方向へも傾動させることができるため、傾動時に上皿１０に対して機器が回転しやすいが、滑り止めシート４４を設けることにより機器の回動を抑制できる。ただし、滑り止めシート４４を設けない構成も可能である。【００１７】  雄ネジ１２は、枠体４０の天板部を貫通し、ワッシャ４６により天板部から抜けないように留められている。回転板４２は枠体４０から一部露出し、この回転板４２を回すことにより雄ネジ１２が回転する。雄ネジ１２をカメラ等の機器（被支持物）の下面の雌ネジに螺合させることにより、被支持物が上皿１０に固定される。上皿１０は、首部８内に同軸に配置されたネジ３８により、首部８の上端に垂直に固定されている。なお、上皿１０とボール６とは、図示するように直線的な首部８で連結されていてもよいし、首部８を屈折させてボール６と上皿１０との連結角度や相対位置をさまざまに変更してもよい。【００１８】  ボール６の内部には、図１に示すように、軽量化を図るために首部８と同軸に円柱状の空洞６Ａおよびねじ穴３６が形成され、空洞６Ａはボール６の下端面に開口している。この空洞６Ａの内径は、例えばボール６の直径の３０〜４５％であるがこの範囲に限定はされない。空洞６Ａは無くてもよい。ねじ穴３６はネジ３８を収容する。【００１９】  基部１Ａの内部には、円筒形の空洞１５が形成され、この空洞１５内には上から順に、下ボール受け１４、コマ１６、および軸体１８が収容されている。下ボール受け１４はすり鉢状をなしており、空洞１５の内径は下ボール受け１４の外径よりも僅かに大きく、下ボール受け１４は空洞１５の内周面に沿って上下に摺動する。下ボール受け１４の上端には、上から見て円環状をなす、すり鉢状に傾斜したボール受け面４８が形成され、このボール受け面４８がボール６の下面を支える。ボール受け面４８の直径および断面の傾斜角度は、ボール受け面４８の幅方向のほぼ中央部がボール６の外周面に接するように設定されている。【００２０】  ボール受け面４８の内径は、ボール６の空洞６Ａの内径よりも十分に大きく設定されている。この例では、ボール受け面４８の軸方向に沿った断面が直線状であり、ボール６とボール受け面４８との当接領域は円環状となる。円環状領域の幅はほぼ線と見なせるほど狭くてもよいし、ボール受け面４８を凹曲面としてその曲率をボール６の外周面の曲率に近づけることにより、当��領域の幅を大きくしてもよい。ボール受け面４８となる部分を、下ボール受け１４の本体と別の材質で形成してもよい。【００２１】  下ボール受け１４の下面には、下へ向けてすぼまるテーパ面５２が形成されている。コマ１６の上端はテーパ面５２と同じテーパを有するテーパ面５４とされ、両者はほぼ同軸に当接している。コマ１６の下端にも、上方へ向けてすぼまるテーパ面５６が形成されている。コマ１６の外径は下ボール受け１４の外径よりも小さい。【００２２】  軸体１８の上端には円環状に張り出したフランジ部６４が形成され、空洞１５内に形成された円環状の段差部６６に、フランジ部６４が係止されている。軸体１８は回転可能かつ上方へは移動可能とされている。軸体１８の上端面はコマ１６のテーパ面５６に対応したテーパ面５８とされている。この実施形態における各当接部のテーパ角度は１５°程度が好ましいが、４５°以下であれば機能する。【００２３】  基部１Ａの側面の一部には、軸心に向けて雌ネジ穴が形成され、この雌ネジ穴に止め止めネジ２２が螺合されている。操作つまみ２４を回して止めネジ２２を締め込むと、その先端がコマ１６を押して偏心させる。コマ１６が偏心すると、軸体１８が下方へ押圧されるとともに、下ボール受け１４が押し上げられ、ボール６を押し上げる。これにより、ボール６は上ボール受け４のボール受け面３４と、下ボール受け１４のボール受け面４８とに強固に挟まれて、回転が阻止される。この状態で、ボール受け面３４およびボール受け面４８はいずれも、細い幅を有する円環状の領域を以てボール６に当接する。一方、軸体１８のフランジ部６４が段差部６６に押しつけられ、両者の摩擦により軸体１８の回転が止められる。また、上ボール受け４はボール６により圧迫され、係合部３２がリングネジ２の係合部３０と強く係合するため、上ボール受け４の回転も止められる。【００２４】  軸体１８の下面の中央には雌ネジ穴６０が形成され、この雌ネジ穴６０が三脚等の上端に設けられる雄ネジに固定される。また、軸体１８の下端部には縮径部６８が形成され、この縮径部６８に円盤状のベース板２０が同軸に固定され、基部１Ａの下面に沿って配置されている。ベース板２０の外径は基部１Ａの外径よりも若干大きく、その外周縁には上方へ突出する円環状の突起６２が全周にわたって形成されている。突起６２は基部１Ａの下端縁を覆い、基部１Ａとベース板２０との間の隙間を隠す効果を奏する。ベース板２０は、操作つまみ２４で止めネジ２２を締め込むと基部１Ａに対して回転不能となり、操作つまみ２４を緩めると回転可能となる。【００２５】  上記の雲台装置を使用する場合、三脚などの上端の雄ネジに、軸体１８の雌ネジ穴６０を当てて締めこむ。また、雄ネジ１２をカメラの下面の雌ネジを当て、回転板４２を回して雄ネジ１２を締め込む。【００２６】  次に、上皿１０が適切な角度になるようにボール６を回してカメラの位置決めを行う。スロット７２の位置が適切でなければ、上ボール受け４を回してスロット７２の位置を調整する。そして、操作つまみ２４の位置も扱いが容易な所に調整する。これにより、図４に示すように、上皿１０の倒れ方向に操作つまみ２４がないようにすることができる。位置決め���完了したら、操作つまみ２４を締める。すると、コマ１６が偏心し、ボール６が固定されるとともに、ベース板２０が回転不能となり、上ボール受け４も基部１Ａに固定される。すなわち、操作つまみ２４を締めるだけで、全ての固定が完了する。操作つまみ２４を緩めれば、ベース板２０、上ボール受け４、およびボール６のいずれも動くようになる。【００２７】  以上のように、この実施形態では、操作つまみ２４を緩めることによって、三脚に固定されるベース板２０と、操作つまみ２４を備えた基部１Ａと、上皿１０の傾動方向を決定するスロット７２を有する上ボール受け４と、上皿１０およびボール６がそれぞれ他者から独立して自由に回動できる。このため、ボール６の首部８をスロット７２に倒し入れた角度で撮影する際にも、操作つまみ２４を機器から適切に離しておくことができ、操作つまみ２４の操作がしにくくなることがない。また、操作つまみ２４を締めるだけで上記全ての固定や解除が行えるので、操作性が良好である。【００２８】  図５〜図８は、基部１Ａとベース板２０との間のがたつきを低減する効果を高めた実施形態を示す。特に説明しない箇所は図１の実施形態と同様でよい。【００２９】  図５の実施形態では、基部１Ａの下端縁が全周にわたって斜めに面取りされて面取り部７６が形成されている。ベース板２０の突起６２の内側と、面取り部７６との間には弾性体からなるＯリング７４が挟み込まれている。Ｏリング７４の断面形状は円形が好ましいが、楕円形、矩形状など他の形状であってもよい。弾性体としては、ゴム系材料、エンジニアリングプラスチック（特にテフロン、ポリアセタール）などが使用できる。以下の実施形態でも同様である。この構造によれば、基部１Ａの下端部外周縁とベース板２０の外周部との間隙量が、Ｏリング７４によって全周にわたって一定に保たれるので、基部１Ａとベース板２０とのがたつきを低減できる。また、操作つまみ２４を緩めたときにＯリング７４はベース板２０に適度な回転抵抗を与え、操作感を高めることができる。回転抵抗を適切にするために、Ｏリング７４の表面にグリスなどの潤滑剤を塗布しておいてもよい。【００３０】  図６の実施形態では、ベース板２０の突起６２の内側に全周にわたって環状の溝８０が形成されている。この溝８０内には弾性体からなるリング７８がはめ込まれ、基部１Ａの下面に当接している。この実施形態によっても、図５の実施形態と同様の効果が得られる。【００３１】  図７の実施形態では、基部１Ａの下端面の外周部に全周にわたって環状の溝８２が形成されている。この溝８２内には弾性体からなるＯリング８４がはめ込まれ、ベース板２０の上面に当接している。この実施形態によっても、図５の実施形態と同様の効果が得られる。【００３２】  図８の実施形態では、基部１Ａの下端面の内周部に全周にわたって環状の凹部８６が形成されている。この凹部８６内には、円環状をなす波形バネ（波座金）８８が配置され、ベース板２０の上面に当接している。この実施形態によっても、図５の実施形態と同様の効果が得られる。基部１Ａの下面およびベース板２０の上面の両方に溝を形成し、それら溝の間に弾性体リングを配置してもよい。【００３３】  図９〜図１１は��下ボール受け１４、コマ１６、および軸体１８の構造を変えた実施形態を示す。特に説明しない箇所は図１の実施形態と同様でよい。
図９の実施形態では、軸体１８の上端面が平坦な水平面９０にされ、コマ１６の下端面も平坦な水平面にされている。この場合、テーパ当接面の角度は第１実施形態よりも大きくされ３０°程度が好ましいが、４５°以下であれば動作する。この実施形態のようにコマ１６の下端面を水平にした場合にも、止めネジ２２によってコマ１６が偏心されると、テーパ面５２、５４の偏心により下ボール受け１４は上方へ圧迫され、軸体１８はその反力で下方へ圧迫されるため、図１の実施形態と同様の効果が得られる。【００３４】  図１０の実施形態では、下ボール受け１４の下端面が平坦な水平面９２にされ、コマ１６の上端面も平坦な水平面にされている。このようにコマ１６の上端面を水平にした場合にも、止めネジ２２によってコマ１６が偏心されると、テーパ面５６，５８の偏心により軸体１８は下方へ圧迫され、下ボール受け１４はその反力で上方へ圧迫されるため、図１の実施形態と同様の効果が得られる。【００３５】  図１１の実施形態では、下ボール受け１４の上端面に上方へ向けてすぼまるテーパ面９４が形成され、コマ１６の上端面もそれに対応して、上方へ向けてすぼまるテーパ面９６とされている。一方、コマ１６の下端面は下方へ向けてすぼまるテーパ面９８とされ、軸体１８の上端面もそれに対応して、下方へ向けてすぼまるテーパ面１００とされている。止めネジ２２によってコマ１６が偏心されると、テーパ面９４と９６、９８と１００とがそれぞれ偏心するため、下ボール受け１４は上方へ、軸体１８は下方へ圧迫される。これにより、図１の実施形態と同様の効果が得られる。【００３６】  図１２〜図１４は、止めネジ２２を使用しない締結機構を採用した実施形態を示している。特に説明しない箇所は、図１の実施形態と同様でよい。
図１２の実施形態では、止めネジ２２とコマ１６の代わりに、図１３に示すような締結具１０２が使用されている。締結具１０２は、Ｃ字状をなす環状部と、この環状部の両端から平行に延びる一対のアーム１０４と、これらアーム１０４の先端の距離を調整するためのネジ１０８と、このネジ１０８を回すつまみ１０６とを有している。環状部の上面および下面には、テーパ面５４およびテーパ面５８と相補形状をなすテーパ面１１０、１１２がそれぞれ形成されている。つまみ１０６を締めるとアーム１０４が互いに接近し、テーパ面１１０、１１２が縮径し、下ボール受け１４を上方へ、軸体１８を下方へ圧迫する。これにより、図１の実施形態と同様の効果が得られる。【００３７】  図１４の実施形態では、図１２の実施形態から下ボール受け１４を省いた構造を有する。この実施形態の締結具１１４は、Ｃ字状をなす環状部の軸線方向の長さが大きく、環状部の上端はボール６に届いている。環状部の両端から平行に延びる一対のアーム１０４と、これらアーム１０４の先端の距離を調整するためのネジ１０８と、このネジ１０８を回すつまみ１０６とを有している。環状部の上面には、ボール６の外周面に対応したテーパ面１１６が形成され、環状部の下面には、テーパ面５８と相補形状をなすテーパ面１１８が形成されている。つまみ１０６を締めるとアーム１０４が互いに接近し、テーパ面１１６，１１８が縮径し、ボール６を上方へ、軸体１８を下方へ圧迫する。これにより、図１の実施形態と同様の効果が得られる。図１２の実施形態に比べて部品点数が減らせる。【００３８】  図１５〜図１７は、上ボール受け４と基部１Ａとの接続構造を変えた実施形態を示す。特に説明しない箇所は、図１の実施形態と同様でよい。
図１５の実施形態は、基部１Ａの上端面の外周部に全周にわたって環状の溝１２０が形成され、この溝１２０の内周面には雄ネジが形成されている。リングネジ２の下端は溝１２０内に差し込まれ、リングネジ２の内周面の雌ネジ２６が溝１２０の溝に螺合されている。この構成によっても、図１の実施形態と同様の効果が得られる。【００３９】  図１６の実施形態は、リングネジ２の代わりに、基部１Ａ全体を覆う筒状のスリーブ１２２を使用している。スリーブ１２２の内径は基部１Ａの外径とほぼ等しく、基部１Ａと同軸にその全周をほぼ隙間無く覆っている。スリーブ１２２は、例えば２本の着脱可能なネジ１２４で基部１Ａに対して固定されている。スリーブ１２２の上端には、リングネジ２と同様に内方へ突出する係合部３０が形成され、この係合部３０が上ボール受け４の下端に形成されている係合部３２と係合し、上ボール受け４を固定している。この構成によっても、図１の実施形態と同様の効果を得ることができる。またスリーブ１２２を高級感のある素材で形成することにより、雲台装置の高級感を高めることが可能である。スリーブ１２２はネジでなく、Ｃ型の止め輪で基部１Ａに固定してもよい。【００４０】  図１７の実施形態は、上ボール受け４の下端に係合部３２を一体に形成する代わりに、上ボール受け４の下端部の外周面に全周にわたって延びる溝を形成し、この溝にＣ字状のワッシャ１２６をはめたことを特徴としている。ワッシャ１２６がリングネジ２の上端に形成された係合部３０と係合することにより、リングネジ２で上ボール受け４が固定できる。この構成によっても、図１の実施形態と同様の効果を得ることができる。【００４１】  図１８の実施形態は、先の実施形態で使用していた軸体１８を２分割し、軸体下部１８Ａと、軸体上部１８Ｂとから構成したことを特徴とする。軸体下部１８Ａは基部１Ａ内に収容される円柱部と、この円柱部の下端に同軸かつ一体的に形成された外径の大きい円板状のベース板部とからなる。ベース板部は基部１Ａの下面に沿って配置されている。軸体上部１８Ｂは、軸体下部１８Ａの円柱部よりも径の大きい円板状をなし、軸体下部１８Ａの円柱部の上端に同軸に固定されている。両者はピン１３０により相互回転不能に固定されている。軸体上部１８Ｂの外周部はフランジ部６４となり、基部１Ａの空洞１５内の段差部６６に係合している。他の構成は図１と同様でよい。この実施形態では、雲台装置の組立時に、軸体上部１８Ｂと軸体下部１８Ａをそれぞれ基部１Ａの上方および下方から挿入して相互に固定すればよいため、組立が容易である。【００４２】  図１９の実施形態は、基部１Ａを上下に２分割し、円筒状の基部上部１３１と、その下に固定される円板状の基部下部１３２とから構成したことを特徴とする。基部上部１３１の内径は、その上部で相対的に小さく、下部で相対的に大きくされている。基部下部１３２の内径は一定で、基部上部１３１の上部の内径よりも小さくされている。これにより、基部１Ａの空洞１５の内壁には、円環状の凹部１３３が形成され、この凹部１３３内に軸体１８のフランジ部６４が収容されている。基部上部１３１と基部下部１３２とは、複数本のネジ１３４により分解可能に固定されてい���。【００４３】  このような構造によれば、フランジ部６４の外径を下ボール受け１４の外径よりも大きくとることができ、フランジ部６４と段差部１３６の係合面の幅を他の実施形態よりも大きく確保できる。係合面積を拡大することにより、特に操作つまみ２４を締めフランジ部６４と段差部１３６を圧接させた際に、基部１Ａとベース板２０との剛性を高めることができ、両者のがたつきを抑制できる。【００４４】  図２０および図２１の実施形態は、コマ１６を左右に２分割し、いずれも半円弧状のコマ右部１６Ａおよびコマ左部１６Ｂとから構成したことを特徴とする。コマ右部１６Ａおよびコマ左部１６Ｂは、図２１に示すように全体として円環状をなすように互いに間隔をあけて配置されている。コマ右部１６Ａおよびコマ左部１６Ｂの上面および下面には、それぞれテーパ面５４，５６が形成されている。【００４５】  コマ右部１６Ａの中央には単純な貫通孔１４０が形成され、コマ左部１６Ｂの中央にはネジ孔１３８が形成され、段付きネジ１４２が締め込まれている。段付きネジ１４２は、雄ネジ部１４４と、雄ネジ部１４４よりも太い段部１４６とを有する。雄ネジ部１４４がコマ右部１６Ａの貫通孔１４０に通され、コマ左部１６Ｂのネジ孔１３８に締め込まれている。段部１４６の外周にはネジが形成されておらず、基部１Ａに形成された単純孔に通されている。これにより、操作つまみ２４を締めると、コマ左部１６Ｂが右に移動し、かつ段付きネジ１４２が左に移動し、段部１４６に押されてコマ右部１６Ａが左に移動する。コマ右部１６Ａおよびコマ左部１６Ｂの移動量は、下ボール受け１４および軸体１８のテーパ面５２，５８の働きにより左右対称に保たれる。【００４６】  図２０および図２１の実施形態によれば、一体型のコマ１６を偏心させる場合に比べて、下ボール受け１４および軸体１８との当たりが均等になるため、コマ１６，下ボール受け１４，軸体１８の偏摩耗が生じにくい利点を有する。【００４７】  以上、さまざまな実施形態を説明したが、本発明はこれら実施形態に限定されず、特許請求の範囲内でいかなる変形も可能である。例えば、各実施形態の構成を相互に置換してもよいし、他の周知な構成と置換したり加えたりしてもよい。
【産業上の利用可能性】
【００４８】  本発明に係る雲台装置では、三脚などに固定される基台と、操作つまみを備えた本体下部と、支持部の傾動方向を決定する凹部を有する本体上部と、ボール部とがそれぞれ独立して回動できる。したがって、このため、ボール部の首部を凹部に倒し入れた角度で撮影する際にも、操作つまみと支持部を適切に離すことができ、操作つまみの操作が難しくなることがない。
【図面の簡単な説明】
【００４９】
【図１】  本発明に係る雲台装置の第１実施形態を示す縦断面図である。
【図２】  第１実施形態の正面図である。
【図３】  第１実施形態の上皿を示す平面図である。
【図４】  第１実施形態の効果を示す側面図である。
【図５】  本発明に係る雲台装置の他の実施形態の要部を示す縦断面図である。
【図６】  本発明に係る雲台装置の他の実施形態の要部を示す縦断面図である。
【図７】  本発明に係る雲台装置の他の実施形態の要部を示す縦断面図である。
【図８】  本発明に係る雲台装置の他の実施形態の要部を示す縦断面図である。
【図９】  本発明に係る雲台装置の他の実施形態の要部を示す縦断面図である。
【図１０】  本発明に係る雲台装置の他の実施形態の要部を示す縦断面図である。
【図１１】  本発明に係る雲台装置の他の実施形態の要部を示す縦断面図である。
【図１２】  本発明に係る雲台装置の他の実施形態の要部を示す縦断面図である。
【図１３】  図１２の実施形態に使用される締結具の平面図である。
【図１４】  本発明に係る雲台装置の他の実施形態の要部を示す縦断面図である。
【図１５】  本発明に係る雲台装置の他の実施形態の要部を示す縦断面図である。
【図１６】  本発明に係る雲台装置の他の実施形態の要部を示す縦断面図である。
【図１７】  本発明に係る雲台装置の他の実施形態の要部を示す縦断面図である。
【図１８】  本発明に係る雲台装置の他の実施形態の要部を示す縦断面図である。
【図１９】  本発明に係る雲台装置の他の実施形態の要部を示す縦断面図である。
【図２０】  本発明に係る雲台装置の他の実施形態の要部を示す縦断面図である。
【図２１】  図２０の実施形態に使用される締結具の一部破断した平面図である。
【符号の説明】
【００５０】１  本体
２  リングネジ
４  上ボール受け（本体上部）
６  ボール
８  首部
１０  上皿（支持部）
１２  雄ネジ
１４  下ボール受け
１６  コマ
１８  軸体（中心軸）
２０  ベース板（基台）
３４，４８  ボール受け面
７２  スロット（凹部）
１０２、１１４  締結具
１０６  操作つまみ
【図１】
2005090730.tif 000003
【図２】
2005090730.tif 000004
【図３】
2005090730.tif 000005
【図４】
2005090730.tif 000006
【図５】
2005090730.tif 000007
【図６】
2005090730.tif 000008
【図７】
2005090730.tif 000009
【図８】
2005090730.tif 000010
【図９】
2005090730.tif 000011
【図１０】
2005090730.tif 000012
【図１１】
2005090730.tif 000013
【図１２】
2005090730.tif 000014
【図１３】
2005090730.tif 000015
【図１４】
2005090730.tif 000016
【図１５】
2005090730.tif 000017
【図１６】
2005090730.tif 000018
【図１７】
2005090730.tif 000019
【図１８】
2005090730.tif 000020
【図１９】
2005090730.tif 000021
【図２０】
2005090730.tif 000022
【図２１】
2005090730.tif 000023